(57)【要約】本発明は、マルチキャストデータをブロードキャストする無線ネットワークにおける基地局から移動局へ効率的なブロードキャストマルチキャストサービスを提供する技術に関し、各移動局は、マルチキャストデータを受信すると、サービス品質特性を示すユーザ入力情報を入力し、入力されたユーザ入力情報に基づいてメッセージを生成して、生成されたメッセージをマルチキャストデータをブロードキャストする基地局へ送信する。従って、メッセージを受信した基地局は、メッセージに含まれた情報に基づいて、マルチキャストデータの送信を最適化することができ、移動局は、マルチキャストデータサービスを継続して受信するか否かを基地局へ通知することができる。
2007527183.tif 000002
【特許請求の範囲】
【請求項１】
基地局のカバレッジ領域でブロードキャストされるマルチキャストデータを受信することができる無線ネットワーク用移動局装置であって、
前記マルチキャストデータを受信すると、サービス品質特性に関する情報及びサービス受信の継続又は中断に関する情報のうちの少なくとも１つを示すユーザ入力情報を受信することができるユーザインターフェースと、
前記ユーザ入力情報に基づいて、前記サービス品質特性に関する情報及びサービス受信の継続又は中断に関する情報のうちの少なくとも１つを含むメッセージを生成することができるプロセッサーと、
前記マルチキャストデータを受信し、前記メッセージを前記基地局へ送信することができる送受信器と
を含んで構成されることを特徴とする装置。
【請求項２】
前記サービス品質特性は、前記マルチキャストデータのオーディオ品質、ビデオ品質、オーディオ未受信、及びビデオ未受信のうちの少なくとも１つの状態情報を含むことを特徴とする請求項１記載の装置。
【請求項３】
前記メッセージは、特別目的メッセージであることを特徴とする請求項１記載の装置。
【請求項４】
前記メッセージは、前記移動局と前記基地局との間で使用される命令メッセージであることを特徴とする請求項１記載の装置。
【請求項５】
前記メッセージは、前記サービス品質特性を示す前記状態情報のうちの少なくとも１つを示す第１のフィールドをさらに具備することを特徴とする請求項２記載の装置。
【請求項６】
前記メッセージは、前記マルチキャストデータでサービスされる特定のコンテンツフローを識別する第２のフィールドをさらに具備することを特徴とする請求項５記載の装置。
【請求項７】
前記メッセージは、前記マルチキャストデータ受信の継続又は中断を示す第３のフィールドをさらに備え、前記第３のフィールドは、特定のコンテンツフローを示して設定されることを特徴とする請求項１記載の装置。
【請求項８】
前記第１のフィールド及び前記第２のフィールドは、各コンテンツフローに対応して設定されることを特徴とする請求項６記載の装置。
【請求項９】
複数の移動局へマルチキャストデータをブロードキャストすることができる無線ネットワーク用基地局装置であって、
前記マルチキャストデータをブロードキャストし、前記マルチキャストデータを受信している少なくとも１つの移動局から、サービス品質特性に関する情報及びサービス受信の継続又は中断に関する情報のうちの少なくとも１つを含むメッセージを受信する送受信器と、
前記メッセージに含まれた前記情報に基づいて、前記マルチキャストデータの送信を最適化するように制御する制御器と
を含んで構成されることを特徴とする装置。
【請求項１０】
前記サービス品質特性は、前記マルチキャストデータのオーディオ品質、ビデオ品質、オーディオ未受信、及びビデオ未受信のうちの少なくとも１つの状態情報を含むことを特徴とする請求項９記載の装置。
【請求項１１】
前記メッセージは、特別目的メッセージであることを特徴とする請求項９記載の装置。
【請求項１２】
前記メッセージは、前記移動局と前記基地局との間で使用される命令メッセージであることを特徴とする請求項９記載の装置。
【請求項１３】
前記メッセージは、前記サービス品質特性を示す前記状態情報のうちの少なくとも１つを示す第１のフィールドをさらに具備することを特徴とする請求項１０記載の装置。
【請求項１４】
前記メッセージは、前記マルチキャストデータでサービスされる特定のコンテンツフローを識別する第２のフィールドをさらに具備することを特徴とする請求項１３記載の装置。
【請求項１５】
前記メッセージは、前記マルチキャストデータ受信の継続又は中断を示す第３のフィールドをさらに備え、前記第３のフィールドは、特定のコンテンツフローを示して設定されることを特徴とする請求項９記載の装置。
【請求項１６】
前記第１のフィールド及び前記第２のフィールドは、コンテンツフロー別に対応して設定されることを特徴とする請求項１４記載の装置。
【請求項１７】
前記メッセージは、前記基地局のフィールドテスト中に受信されることを特徴とする請求項９記載の装置。
【請求項１８】
前記制御器は、前記マルチキャストデータ送信のパワーを増減して、前記マルチキャストデータの送信を最適化するようにさらに具備されることを特徴とする請求項９記載の装置。
【請求項１９】
前記制御器は、前記マルチキャストデータの送信を単一のトラヒックチャンネルで多重化して、前記マルチキャストデータの送信を最適化するようにさらに具備されることを特徴とする請求項９記載の装置。
【請求項２０】
前記制御器は、前記サービス品質特性を前記マルチキャストデータ送信のコンテンツプロバイダーへ伝達して、前記マルチキャストデータの送信を最適化するようにさらに具備されることを特徴とする請求項９記載の装置。
【請求項２１】
前記制御器は、前記マルチキャストデータの送信に際して、エラー訂正符号を付加して、前記マルチキャストデータの送信を最適化するようにさらに具備されることを特徴とする請求項９記載の装置。
【請求項２２】
前記制御器は、ブロードキャストマルチキャストサービス（ＢＣＭＣＳ）制御器を含む基地局制御器であることを特徴とする請求項９乃至請求項２１のうちのいずれか１項記載の装置。
【請求項２３】
ブロードキャストマルチキャストサービスを提供する無線ネットワークにおいて、マルチキャストデータを受信する移動局から基地局へ送信されるメッセージ構成であって、
前記メッセージは、前記基地局から受信されたマルチキャストデータのサービス品質特性を示す第１のフィールドと、
前記マルチキャストデータでサービスされる特定のコンテンツフローを識別する第２のフィールドと、
前記マルチキャストデータを継続して受信するか否かを示す第３のフィールドのうちの少なくとも１つを含んで構成されることを特徴とするメッセージ構成。
【請求項２４】
前記メッセージは、特別目的メッセージであることを特徴とする請求項２３記載のメッセージ構成。
【請求項２５】
前記メッセージは、前記移動局と前記基地局との間で使用された一般的な命令メッセージであることを特徴とする請求項２３記載のメッセージ構成。
【請求項２６】
前記サービス品質特性は、前記マルチキャストデータのオーディオ品質、ビデオ品質、オーディオ未受信、及びビデオ未受信のうちの少なくとも１つの状態情報を含むことを特徴とする請求項２３記載のメッセージ構成。
【請求項２７】
前記第１のフィールドは、前記サービス品質特性を示す前記状態情報のうちの少なくとも１つを示すことを特徴とする請求項２６記載のメッセージ構成。
【請求項２８】
前記第１のフィールド及び前記第２のフィールドは、コンテンツフロー別に対応して設定されることを特徴とする請求項２３記載のメッセージ構成。
【請求項２９】
前記第３のフィールドは、前記特定のコンテンツフローを示して設定されることを特徴とする請求項２３記載のメッセージ構成。
【請求項３０】
無線ネットワークの移動局で遂行されるブロードキャストマルチキャストサービスを使用する方法であって、
前記マルチキャストデータを受信すると、サービス品質特性に関する情報及びサービス受信の継続又は中断に関する情報のうちの少なくとも１つを示すユーザ入力情報を受信するステップと、
前記ユーザ入力情報に基づいて、前記サービス品質特性に関する情報及びサービス受信の継続又は中断に関する情報のうちの少なくとも１つを含むメッセージを生成するステップと、
前記マルチキャストデータをブロードキャストする前記メッセージを前記基地局へ送信するステップと、
を含んで構成されることを特徴とする方法。
【請求項３１】
前記メッセージを生成するステップは、前記マルチキャストデータのオーディオ品質、ビデオ品質、オーディオ未受信、及びビデオ未受信のうちの少なくとも１つの状態情報を使用して、前記サービス品質特性を示す第１のフィールドを生成するステップを具備することを特徴とする請求項３０記載の方法。
【請求項３２】
前記メッセージを生成するステップは、前記マルチキャストデータでサービスされる特定のコンテンツフローを示す第２のフィールドを生成するステップを具備し、前記第２のフィールドは、前記第１のフィールドに対応して設定されることを特徴とする請求項３１記載の方法。
【請求項３３】
前記メッセージを生成するステップは、前記マルチキャストデータを継続して受信するか否かを示す第３のフィールドを生成するステップを具備し、前記第３のフィールドは、前記特定のコンテンツフローを示して設定されることを特徴とする請求項３２記載の方法。
【請求項３４】
前記移動局が前記サービスの中断を示すメッセージを前記基地局へ送信した後、移動局に提供されるか、又は該当するサービスとの接続を中断するか、又は解除するステップをさらに具備することを特徴とする請求項３０記載の方法。
【請求項３５】
無線ネットワークに基づく基地局が遂行するブロードキャストマルチキャストサービスを提供する方法であって、
複数の移動局へマルチキャストデータをブロードキャストするステップと、
前記マルチキャストデータを受信した少なくとも１つの移動局からサービス品質特性に関する情報及びサービス受信の継続又は中断に関する情報のうちの少なくとも１つを含むメッセージを受信するステップと、
前記メッセージに含まれた情報に基づいて、前記マルチキャストデータの送信を最適化するステップと
を具備することを特徴とする方法。
【請求項３６】
前記メッセージを受信するステップは、前記マルチキャストデータのオーディオ品質、ビデオ品質、オーディオ未受信、及びビデオ未受信を示す少なくとも１つの状態情報を含むサービス品質特性を受信するステップを具備することを特徴とする請求項３５記載の方法。
【請求項３７】
前記メッセージを受信するステップは、前記状態情報に対応する特定のコンテンツフローの識別子を受信するステップを具備することを特徴とする請求項３６記載の方法。
【請求項３８】
前記メッセージを受信するステップは、前記状態情報に対応する特定のコンテンツフローの受信の継続又は中断を示すビット情報を受信するステップを具備することを特徴とする請求項３７記載の方法。
【請求項３９】
マルチキャストデータをブロードキャストする無線ネットワークにおける基地局から複数の移動局へブロードキャストマルチキャストサービスを提供する方法であって、
前記移動局が前記マルチキャストデータを受信すると、サービス品質特性を示すユーザ入力情報を受信して、受信された前記ユーザ入力情報に基づいてメッセージを生成するステップと、
前記移動局が前記マルチキャストデータをブロードキャストする前記基地局へ前記メッセージを送信するステップと、
前記メッセージを受信した基地局が、前記メッセージに含まれた情報に基づいて、前記マルチキャストデータの送信を最適化するステップと
を具備することを特徴とする方法。
【請求項４０】
前記最適化するステップは、前記マルチキャストデータの送信パワーを増減するステップを具備することを特徴とする請求項３９記載の方法。
【請求項４１】
前記最適化するステップは、前記マルチキャストデータの送信を多重化するステップを具備することを特徴とする請求項３９記載の方法。
【請求項４２】
前記最適化するステップは、前記基地局から前記マルチキャストデータの送信のコンテンツプロバイダーへ前記サービス品質特性を伝達するステップを具備することを特徴とする請求項３９記載の方法。
【請求項４３】
前記最適化するステップは、前記マルチキャストデータを送信する時、エラー訂正符号を付加するステップを具備することを特徴とする請求項３９記載の方法。
【請求項４４】
無線ネットワークにおけるブロードキャストマルチキャストサービスを提供するシステムであって、
マルチキャストデータを受信すると、ユーザ入力情報を受信して、前記ユーザ入力情報に基づいて、前記サービス品質特性に関する情報及びサービス受信の継続又は中断に関する情報のうちの少なくとも１つを含むメッセージを生成した後、前記マルチキャストデータをブロードキャストする基地局へ前記メッセージを送信する移動局と、
前記メッセージに含まれた情報に基づいて、前記マルチキャストデータの送信を最適化する基地局と
を含んで構成されることを特徴とするシステム。
【請求項４５】
前記移動局は、前記サービス受信の中断を決定し、前記メッセージを前記基地局へ送信すると、該当サービスとの接続を解除するように構成されることを特徴とする請求項４４記載のシステム。
【請求項４６】
前記サービス品質特性は、前記マルチキャストデータのオーディオ品質、ビデオ品質、オーディオ未受信、及びビデオ未受信のうちの少なくとも１つの状態情報を示すことを特徴とする請求項４４記載のシステム。
【発明の詳細な説明】
【技術分野】
【０００１】
本発明は、無線ネットワークに関し、特に、無線ネットワークにおいて、ブロードキャストマルチキャストサービス（BroadCast MultiCast Service；ＢＣＭＣＳ）を提供するための装置及び方法とシステムに関する。
【背景技術】
【０００２】
ＩＳ−９５ネットワークのような初期の符号分割多元接続（ＣＤＭＡ；Code Division Multiple Access）ネットワークは、非常に少量のデータトラヒックのみを送信した。しかしながら、ＩＳ−２０００（これをＣＤＭＡ２０００と称する）のような第３世代無線ネットワークは、さらに大きいロードのデータトラヒックを送信するように構成されている。ＩＳ−２０００ネットワークは、高速のデータサービス及び音声サービスを効率的に提供することができる。もう１つの例として、１ｘＥＶ−ＤＯネットワークのようなデータを主とするシステムといえる。このようなタイプのネットワークが音声及びデータサービスの両方に使用されると、典型的に、データトラヒックへ隣接チャンネルを介して音声トラヒックを送信する。しかしながら、ＩＳ−２０００ネットワーク（すなわち、ＣＤＭＡ ２０００のＲｅｌｅａｓｅ Ｃ）は、同一のチャンネルを介して音声及びデータトラヒックを送信する。
【０００３】
ＢＣＭＣＳ（Broadcast Multicast Service）は、ＩＳ−２０００ネットワークを含む第３世代無線ネットワークで無線プロバイダーが提供する新規なデータサービスのうちの１つのタイプである。上記ＢＣＭＣＳは、無線標準の次期リリースに対して、非常に顕著な特徴となるものと予想される。マルチキャストデータブロードキャストにおいて、同一のデータコンテンツ（例えば、スポーツスコア、天気予報、ニュースなど）が無線ネットワーク基地局（Base Station；ＢＳ）のカバレッジ領域で、すべての（最小限複数の）無線端末機（又は、移動局）へ送信される。オペレーター（operator）のネットワークの１つ以上の領域から１つ以上の移動局へＢＣＭＣＳデータを送信する場合、上記ＢＣＭＣＳを介してＩＳ−２０００無線インターフェースの使用を最適化することができる。
ネットワークからオーバーヘッドチャンネル上の情報（例えば、ＢＳＰＭ；Broadcast Service Parameters Message）を受信するもののように、多様な方法にて、ユーザは、サービングネットワークが提供するＢＣＭＣＳサービスが分かる。料金計算機能、多様なユーザがマルチキャストデータの送信を使用することができるネットワークの領域及び権限ない受信を保護するためのマルチキャストデータ送信の暗号化に関連して、ネットワークオペレータは、各マルチキャストデータの送信を制御することができる。
【０００４】
しかしながら、現在のＢＣＭＣＳシステムデザインにおいて、特定の移動局（ＭＳ；Mobile Station）によって受信されたマルチキャストデータ送信の品質が劣化した場合、移動局（ＭＳ）の次元で、提供又はサービングされるサービスを解除するか、又は拒否することができるようにする技術はない。例えば、上記サービスを拒否する理由は、不適切な受信又は連続サービスの障害を挙げることができる。ネットワークオペレータがこのようなサービス品質（ＱｏＳ）問題の通知を受けると、上記ネットワークオペレータは、ネットワークを適切に構成（configure）することができる。しかしながら、現在のＢＣＭＣＳシステムデザインは、上記ネットワークオペレータがサービスの特性に基づくユーザ要求のフィードバックを受信することができない。
従って、無線ネットワークにおいて、ＢＣＭＣＳを用いるための改善したシステム及び方法を必要とする。特に、移動局でＱｏＳ（Quality of Service）目的のためのフィードバックメカニズムが必要とされる。また、移動局を通してＢＣＭＣＳを解除するか又は拒否することができる技術も要求されてきた。
【発明の開示】
【発明が解決しようとする課題】
【０００５】
上記背景に鑑みて、本発明の目的は、無線ネットワークにおいて、効率的なブロードキャスト及びマルチキャストサービスを効率的に提供するための移動局装置、基地局装置、その方法、及びシステムを提供することにある。
本発明の他の目的は、ブロードキャスト及びマルチキャストサービスを提供する無線ネットワークにおいて、サービス品質特性を示すメッセージを基地局へ送信することができる移動局装置と、その方法及びシステムを提供することにある。
本発明のまた他の目的は、ブロードキャスト及びマルチキャストサービスを提供する無線ネットワークにおいて、サービス品質の問題が発生すると、サービス品質に関連した情報を基地局へ提供することができる移動局装置と、その方法及びシステムを提供することにある。
本発明のさらなる目的は、ブロードキャスト及びマルチキャストサービスを提供する無線ネットワークにおいて、サービス品質及び／又は受信可否を決定するメッセージを移動局から受信して、ユーザに対するサービスを最適化することができる基地局装置とその方法及びシステムを提供することにある。
本発明のもう一つの目的は、ブロードキャストマルチキャストサービスを提供する無線ネットワークにおいて、サービス品質及び／又は受信可否を含む情報を移動局から基地局へ送信するためのメッセージ構成を提供することにある。
【課題を解決するための手段】
【０００６】
このような目的を達成するために、本発明の第１の見地によると、基地局のカバレッジ領域でブロードキャストされるマルチキャストデータを受信することができる無線ネットワーク用移動局装置は、上記マルチキャストデータを受信すると、サービス品質特性に関する情報及びサービス受信の継続又は中断に関する情報のうちの少なくとも１つを示すユーザ入力情報を受信することができるユーザインターフェースと、上記ユーザ入力情報に基づいて、上記サービス品質特性に関する情報及びサービス受信の継続又は中断に関する情報のうちの少なくとも１つを含むメッセージを生成することができるプロセッサーと、上記マルチキャストデータを受信し、上記メッセージを上記基地局へ送信することができる送受信器とを含んで構成されることを特徴とする。
【０００７】
本発明の第２の見地によると、複数の移動局へマルチキャストデータをブロードキャストすることができる無線ネットワーク用基地局装置は、上記マルチキャストデータをブロードキャストし、上記マルチキャストデータを受信している少なくとも１つの移動局から、サービス品質特性に関する情報及びサービス受信の継続又は中断に関する情報のうちの少なくとも１つを含むメッセージを受信する送受信器と、上記メッセージに含まれた上記情報に基づいて、上記マルチキャストデータの送信を最適化するように制御する制御器とを含んで構成されることを特徴とする。
【０００８】
本発明の第３の見地によると、無線ネットワークにおけるブロードキャストマルチキャストサービスを提供するシステムは、マルチキャストデータを受信すると、ユーザ入力情報を受信して、上記ユーザ入力情報に基づいて、上記サービス品質特性に関する情報及びサービス受信の継続又は中断に関する情報のうちの少なくとも１つを含むメッセージを生成した後、上記マルチキャストデータをブロードキャストする基地局へ上記メッセージを送信する移動局と、上記メッセージに含まれた情報に基づいて、上記マルチキャストデータの送信を最適化する基地局とを含んで構成されることを特徴とする。
【０００９】
本発明の第４の見地によると、無線ネットワークの移動局で遂行されるブロードキャストマルチキャストサービスを使用する方法は、上記マルチキャストデータを受信すると、サービス品質特性に関する情報及びサービス受信の継続又は中断に関する情報のうちの少なくとも１つを示すユーザ入力情報を受信するステップと、上記ユーザ入力情報に基づいて、上記サービス品質特性に関する情報及びサービス受信の継続又は中断に関する情報のうちの少なくとも１つを含むメッセージを生成するステップと、上記マルチキャストデータをブロードキャストする上記メッセージを上記基地局へ送信するステップと、を含んで構成されることを特徴とする。
【００１０】
本発明の第５の見地によると、ブロードキャストマルチキャストサービスを提供する無線ネットワークにおいて、マルチキャストデータを受信する移動局から基地局へ送信されるメッセージ構成であって、上記メッセージは、上記基地局から受信されたマルチキャストデータのサービス品質特性を示す第１のフィールドと、上記マルチキャストデータでサービスされる特定のコンテンツフローを識別する第２のフィールドと、上記マルチキャストデータを継続して受信するか否かを示す第３のフィールドのうちの少なくとも１つを含んで構成されることを特徴とする。
【発明の効果】
【００１１】
本発明は、上記基地局にマルチキャストデータの送信の特定のコンテンツフローに対する解除又は拒否を通知する、移動局から基地局へのメッセージを提供することができる。上記メッセージは、上記コンテンツフローの解除又は拒否に対する理由をさらに含む。例えば、このような理由では、上記コンテンツフローを受信する移動局でのオーディオ受信の劣化又はオーディオ受信がないこと、及び／又は、ビデオ受信の劣化又はビデオ受信がないことを挙げることができる。上記基地局は、このような情報を用いて、ネットワークから移動局へマルチキャストデータの送信を最適化することができる。
【発明を実施するための最良の形態】
【００１２】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００１３】
本発明を詳細に説明するに先立って、本明細書の全般にわたって使用される特定の単語及び語句の定義を開示することが望ましい。“含む（include）”及び “備える（comprise）”という語句だけではなく、その派生語（derivatives thereof）は、限定ではなく、含みを意味する。“又は（or）”という用語は、“及び／又は（and/or）”の意味を包括する。“関連した（associated with）”及び“それと関連した（associated therewith）”という語句だけではなく、その派生語句は、“含む（include）”、“含まれる（be included within）”、“相互に連結する（interconnect with）”、“包含する（contain）”、“包含される（be contained within）”、“連結する（connect to or with）”、“結合する（couple to or with）”、“疎通する（be communicable with）”、“協力する（cooperate with）”、“挿入する（interleave）”、“並列する（juxtapose）”、“近接する（be proximate to）”、“接する（be bound to or with）”、“有する（have）”、及び“特性を有する（have a property of）”などを意味することができる。制御器は、ハードウェア、ファームウエア、ソフトウェア、又は、それらうちの２つ以上の組合せで実現されることができる。ある特定の制御器に関連した機能性は、ローカルでも遠隔でも、集中するか又は分散することができることに留意しなければならない。特定の単語及び語句に関するこのような定義は、本明細書の全般にわたって規定されるもので、当該技術分野における通常の知識を有する者は、大部分の場合ではなくても、多くの場合において、このような定義がそのように定義された単語及び語句の先行使用にはもちろん、今後の使用にも適用されるものであることを理解すべきである。
【００１４】
下記に説明する図１乃至図７、そして、本発明の原理を説明するのに使用される多様な実施形態は、ただ、例示のためのものであり、本発明の範囲を制限するものではない。当該技術分野における通常の知識を有する者であれば、適切に配置された無線ネットワークで本発明の原理を実現することができることが分かる。
【００１５】
図１は、本発明の実施形態に従って、ブロードキャストマルチキャストサービス（ＢＣＭＣＳ）を提供する無線ネットワーク１００の構成を示す。無線ネットワーク１００は、複数のセルサイト（cell site）１２１−１２３を含み、上記各セルサイトは、基地局ＢＳ１０１，ＢＳ１０２，ＢＳ１０３のうちの少なくとも１つを含む。基地局１０１−１０３は、ＩＳ−２０００−Ｃ規格（すなわち、ｃｄｍａ２０００のリリースＣ）に従って、ＣＤＭＡ（Code Division Multiple Access）チャンネルを介して複数の移動局（ＭＳ）１１１−１１４と通信を遂行する。移動局１１１−１１４は、従来のセルラー無線電話機、ＰＣＳハンドセット装備、携帯用個人情報端末機（ＰＤＡ；Personal Digital Assistants）、携帯用コンピュータ、遠隔測定装備（telemetry device）などのように、無線リンクを介して基地局と通信することができるものであれば、いずれにでも可能である。
本発明は、移動装備にのみ限定されるものではない。固定式無線端末機を含む他のタイプの無線接続端末機にも包括的に適用され、説明の便宜上、移動局についてのみ後述する。しかしながら、特許請求の範囲及び以下の記載において用語“移動局”は、実質的移動装備（例えば、無線電話機、無線ラップトップ）及び固定式無線端末機（例えば、無線能力を備えた機器モニター）を包括する意味で使用されるものである。
【００１６】
図１において、点線は、基地局１０１−１０３が位置するセルサイト１２１−１２３の近似境界を示す。セルサイトは、図示及び説明の便宜上、ほぼ円形で示される。しかしながら、選択されたセル構成、自然的及び人工的障害物に基づいて、上記セルサイトは、多くの他の不規則な形状を有することもありうることは、自明である。
従来技術でよく知られているように、セルサイト１２１−１２３は、複数のセクター（図示せず）から構成され、基地局にカップリングされた指向性アンテナが各セクターに電波を送る。図１の実施形態は、上記セルの中央に位置する上記基地局を示す。他の実施形態は、セクターのコーナーに指向性アンテナを位置させることもできる。すなわち、本発明のシステムは、ある特定のセルサイトの構成に制限されない。
【００１７】
本発明の一実施形態において、ＢＳ１０１，ＢＳ１０２，及びＢＳ１０３は、基地局制御器（Base Station Controller；ＢＳＣ）及び少なくとも１つ以上の基地局送受信器（Base Transceiver Subsystem；ＢＴＳ）を具備する。基地局制御器及び基地局送受信器は、当該技術分野における通常の知識を有する者には、よく知られている。基地局制御器は、無線通信ネットワーク内で、特定のセルのために、基地局送受信器サブシステムを含む無線通信資源を管理する装置である。基地局送受信器は、ＲＦ送受信器、アンテナ、及び各セルサイトに位置する他の電気装備を構成する。上記装備は、空調ユニット、加熱ユニット、電気供給装置、電話線インターフェース、ＲＦ送信器、及びＲＦ受信器を含むことができる。本発明の動作に関する説明を明瞭にかつ簡潔にするためには、セルサイト１２１，１２２，１２３は、各々の基地局送受信器と、各基地局送受信器に関連した基地局制御器は、ＢＳ１０１，ＢＳ１０２，ＢＳ１０３を用いてそれぞれ集合的に示す。
【００１８】
図１のＢＳ１０１，ＢＳ１０２，ＢＳ１０３は、通信線１３１及び移動交換器（Mobile Switching Center；ＭＳＣ）１４０を介して、これら相互間、そして、これらと一般電話交換網（Public Switched Telephone Network；ＰＳＴＮ）（図示せず）との間で音声及びデータ信号を送信する。また、ＢＳ１０１，ＢＳ１０２，ＢＳ１０３は、通信線１３１及びパケットデータサーバーノード（又は、パケットデータサービスノード）（Packet Data Server Node；ＰＤＳＮ）１５０を介して、インターネット（図示せず）とともに、パケットデータのようなデータ信号を送信する。パケット制御器（Packet Control Function；ＰＣＦ）１９０は、基地局１０１−１０３とＰＤＳＮ１５０との間で、データパケットのフローを制御する。図１に示すように、ＰＣＦユニット１９０は、ＰＤＳＮ１５０の一部として、又は、基地局１０１−１０３の一部として、又は、ＰＤＳＮ１５０と通信する自立型（stand-alone）装備として実現されることができる。また、通信線１３１は、ＭＳＣ１４０とＢＳ１０１，ＢＳ１０２，ＢＳ１０３との間の制御信号を送信するための接続通路となることができ、上記接続通路を介して、ＭＳＣ１４０とＢＳ１０１，ＢＳ１０２，ＢＳ１０３との間の音声及びデータ送信のための接続を設定する。
【００１９】
通信線１３１は、Ｔ１ライン、Ｔ３ライン、光ファイバーリンク、又は、ある他のタイプのデータ接続を含む適合したものであれば、制限なしに使用することができる。通信線１３１上での接続を通じて、パルスコード変調（Pulse Code Modulated；ＰＣＭ）フォーマット、インターネットプロトコル（Internet Protocol；ＩＰ）フォーマット、非同期送信モード（Asynchronous Transfer Mode；ＡＴＭ）フォーマット、又は同種のもので、アナログ音声信号又はデジタル音声信号を送信することができる。また、本発明の望ましい実施形態によると、通信線１３１は、このような接続を通じて、ＢＳ１０１，ＢＳ１０２，及びＢＳ１０３を含む無線ネットワーク１００の基地局間のデータパケットを送信するインターネットプロトコル（ＩＰ）接続を提供する。従って、通信線１３１は、近距離通信網（Local Area Network；ＬＡＮ）を含み、これを通じて、ＰＤＳＮ１５０を使用することなく、基地局間の直接的なＩＰ接続を提供する。
ＭＳＣ１４０は、無線ネットワーク及びＰＳＴＮ、又は、インターネットのような外部ネットワークの加入者間でサービス及び調整を提供するスイッチング装備である。ＭＳＣ１４０は、当該技術分野における通常の知識を有する者にはよく知られている。本発明の一部実施形態において、通信線１３１は、幾つかの相互に異なるデータリンクであって、各データリンクは、ＢＳ１０１，ＢＳ１０２，ＢＳ１０３のうちのいずれか１つをＭＳＣ１４０にカップリングする。
【００２０】
図１に示す無線ネットワーク１００の実施形態において、ＭＳ１１１及びＭＳ１１２は、セルサイト１２１に位置し、ＢＳ１０１と通信する。ＭＳ１１３は、セルサイト１２２に位置してＢＳ１０２と通信し、ＭＳ１１４は、セルサイト１２３に位置してＢＳ１０３と通信する。ＭＳ１１２は、セルサイト１２３のエッジに近接に位置し、ＭＳ１１２付近の指示矢印で示されるように、セルサイト１２３に向けて移動する。ＭＳ１１２がセルサイト１２３に向けて移動して、セルサイト１２１から離れるに従って、特定の地点でハンドオフ（handoff）が発生する。
当該技術分野における通常の知識を有する者には、よく知られているように、
ハンドオフ手順は、第１のセルから第２のセルへの呼の制御を伝達する。ハンドオフは、“ソフト”ハンドオフとすることもでき、“ハード”ハンドオフとすることもできる。ソフトハンドオフの場合、第１のセルで、移動局と基地局との間で既存の接続が遮断される前に、第２のセルで、移動局と基地局との間で接続がなされる。ハードハンドオフの場合、第２のセルで、移動局と基地局との間で新規な接続がなされる前に、第１のセルで、移動局と基地局との間で現在の接続が遮断される。
【００２１】
ＭＳ１１２がセルサイト１２１からセルサイト１２３へ移動するにつれて、ＭＳ１１２は、ＢＳ１０３からのパイロット信号を検出して、パイロット強度測定メッセージ（Pilot Strength Measurement Message；ＰＳＭＭ）をＢＳ１０１へ送信する。ＢＳ１０３によって送信され、ＭＳ１１２によって受信されて報告されたパイロット信号の強度が臨界値を超えると、ＢＳ１０１は、ＴＩＡ／ＥＩＡ ＩＳ−９５、ＴＩＡ／ＥＩＡ ＩＳ−２０００、又は、ＩＳ−８５６（ＣＤＭＡ２０００ファミリー規格）に説明されるように、ハンドオフが必要とされる信号をターゲットＢＳ１０３へシグナリングすることによって、ソフトハンドオフ過程を初期化する。
ＢＳ１０３及びＭＳ１１２は、ＣＤＭＡチャンネルで通信リンクの設定を交渉する。ＢＳ１０３とＭＳ１１２との間の通信リンクを設定した後、ＭＳ１１２は、ソフトハンドオフモードで、ＢＳ１０１及びＢＳ１０３と通信する。当業者は、ソフトハンドオフが順方向（ＢＳからＭＳへ）チャンネルと逆方向（ＢＳからＭＳへ）チャンネルのリンクの両方で性能を向上させることが分かる。ＢＳ１０１からの信号が所定の信号強度の臨界値以下になると、ＭＳ１１２は、ＢＳ１０１とのリンクを解除させ、ＢＳ１０３からの信号のみを受信する。これに従って、移動局の呼は、ＢＳ１０１からＢＳ１０３へ途切れなく伝達される。
【００２２】
上述したソフトハンドオフは、移動局が音声やデータ呼（call）中にあると仮定する。アイドルハンドオフは、制御チャンネル又はページングチャンネルで通信する移動局のセルサイト間のハンドオフである。
本発明の原理によると、無線ネットワーク１００で動作する移動局は、共有トラヒックチャンネルを介してマルチキャストデータ送信ブロードキャストを受信することができる。例えば、ＩＳ−２０００の実施形態において、ＢＳ１１１−１１３の各々及びＭＳ１１１−１１４の各々は、順方向パケットデータチャンネル（Forward Packet Data Channel；Ｆ−ＰＤＣＨ）、又は順方向付加チャンネル（Forward Supplement Channel；Ｆ−ＳＣＨ）、又は、２本のチャンネルのすべてを介してマルチキャストデータを送受信することができる。
【００２３】
図２は、本発明の実施形態に従って、無線ネットワーク１００における複数の基地局送受信器（ＢＴＳ１〜６）から複数の移動局へマルチキャストデータが送信される形態を示す。基地局についてさらに詳細に説明すると、次の通りである。すなわち、基地局１０１は、６個の基地局送受信器ＢＴＳ１、ＢＴＳ２、ＢＴＳ３、ＢＴＳ４、ＢＴＳ５、及びＢＴＳ６を含む。基地局１０１のセルサイト１２１は、六角形で示されている。これは、ただ、図示及び説明のためのものである。各基地局送受信器ＢＴＳは、３セクターアンテナを使用し、３セクター（セクターα、セクターβ、セクターγ）の各々は、１２０°の円弧領域を管理又はカバレッジ（coverage）する。各ＢＴＳのカバレッジ領域は、三角形で示された。６個の三角形は、基地局１０１の六角形のカバレッジ領域を形成する。
【００２４】
図２において、３個の例示的マルチキャストデータストリーム（送信）がブロードキャストされている。ＢＴＳ２の１つのセクターは、ＭＳ２０１及び２０２に第１のマルチキャストデータをブロードキャストしている。また、ＢＴＳ１の１つのセクターは、ＭＳ２０１及び２０２へ同一の第１のマルチキャストデータをブロードキャストする。ＢＴＳ１の２個の相互に異なるセクターは、ＭＳ２０３に対して第１のマルチキャストデータをブロードキャストする。最後に、ＢＴＳ１の１つのセクター及びＢＴＳ６の１つのセクターは、ＭＳ２０４に対して第１のマルチキャストデータをブロードキャストする。
ＢＴＳ６のうちの相互に異なる２個のセクターは、ＭＳ２０５に対して第２のマルチキャストデータをブロードキャストする。ＢＴＳ６のうちの１つのセクターは、ＭＳ２０６に対して第２のマルチキャストデータをブロードキャストする。最後に、ＢＴＳ５のうちの１つのセクターもＭＳ２０６に対して第２のマルチキャストデータをブロードキャストする。
ＢＴＳ３のうちの１つのセクターは、ＭＳ２０７に対して第３のマルチキャストデータをブロードキャストする。最後に、ＢＴＳ４のうちの１つのセクターもＭＳ２０７に対して第３のマルチキャストデータをブロードキャストする。
上記のように、ＢＴＳ１−ＢＴＳ６が共有トラヒックチャンネルを用いて第１、第２、及び第３のマルチキャストデータをブロードキャストするので、移動局２０１−２０７のうちの少なくとも一部が１つ以上のＢＴＳからマルチキャストデータの送信を受信する。これは、移動局の受信性能を向上させる作用をする。また、これは、ＣＤＭＡ移動局が２個以上の基地局送受信器から順方向チャンネル信号を受信するハンドオフ動作と類似している。
【００２５】
各マルチキャストデータの送信は、例えば、ＣＮＮ、ＨＢＯ、ＮＢＣなどのようなコンテンツプロバイダー（Contents Provider；ＣＰ）によって提供されている特定のブロードキャストマルチキャスト（ＢＣＭＣ；BroadCast MultiCast）サービスに相当する。各サービスは、多重ＢＣＭＣＳフローを有する。例えば、ＣＮＮは、視覚効果のためのフロー、聴覚効果のためのフロー、及びクローズキャプション（close captioning）のためのフローなどの多様なフローを提供することができる。これらすべてのフローは、同一のトラヒックチャンネル上でなされることもでき、相互に異なるトラヒックチャンネル上でなされることもできる。
各トラヒックチャンネルは、相互に異なる特性及び相互に異なるフェージング耐性（fading immunity）を有する。ユーザが特定のＢＣＭＣサービス（例えば、ＨＢＯ）を見ながら、オーディオ成分（component）及び／又はビデオ成分を適切に受信しないと、本発明の実施形態に従って、ユーザは、移動局を通して、ネットワークへメッセージを送信して、オーディオ及び／又はビデオ成分が適切に受信されていないことを通知することができる。このような情報から、ネットワークオペレータは、上記オーディオ及び／又はビデオ成分を最適化するようにネットワークを構成することができる。
【００２６】
図３は、本発明の実施形態による無線移動局２０１の構成を示すブロック図である。無線移動局２０１は、アンテナ３０５、無線周波数（ＲＦ）送受信器３１０、送信（ＴＸ）処理回路３１５、マイクロフォン３２０、及び受信（ＲＸ）処理回路３２５を含む。また、ＭＳ２０１は、スピーカー３３０、メインプロセッサー３４０、入力／出力（Ｉ／Ｏ）インターフェース（ＩＦ）３４５、ユーザインターフェース３５０、ディスプレー３５５、及びメモリ３６０を含む。メモリ３６０は、基本オペレーティングシステム（ＯＳ）プログラム３６１を含む。
【００２７】
無線周波数（ＲＦ）送受信器３１０は、アンテナ３０５を介して無線ネットワーク１００の基地局によってブロードキャストされた着信マルチキャストデータの送信（ＲＦ信号）を受信する。無線周波数（ＲＦ）送受信器３１０は、着信信号をダウンコンバーティングして、中間周波数（ＩＦ）又は基底帯域信号を生成する。ＩＦ信号又は基底帯域信号は、受信（ＲＸ）処理回路３２５へ送信され、ここで、基底帯域又はＩＦ信号をフィルタリング、デコーディング、及び／又はデジタル化することによって、処理された基底帯域信号を生成する。受信（ＲＸ）処理回路３２５は、処理された基底帯域信号をスピーカー３３０（すなわち、音声データ）へ送信するか、又は、追加処理（例えば、ウェブブラウジング）のために、メインプロセッサー３４０へ送信する。
【００２８】
送信（ＴＸ）処理回路３１５は、マイクロフォン３２０からアナログ又はデジタル音声データを受信するか、又は、メインプロセッサー３４０から他の発信基底帯域データ（例えば、ウェブデータ、電子メール、インタラクティブビデオゲームデータ）を受信する。送信（ＴＸ）処理回路３１５は、発信基底帯域データを暗号化（encode）するか、多重化（multiplex）するか、及び／又は、デジタル化（digitize）して、処理された基底帯域信号又はＩＦ信号を生成する。無線周波数（ＲＦ）送受信器３１０は、送信（ＴＸ）処理回路３１５から処理された発信基底帯域信号又は発信ＩＦ信号を受信する。無線周波数（ＲＦ）送受信器３１０は、基底帯域信号又はＩＦ信号をアンテナ３０５を介して送信される無線周波数（ＲＦ）信号へアップコンバーティングする。
【００２９】
本発明の望ましい実施形態において、メインプロセッサー３４０は、マイクロプロセッサー又はマイクロコントローラである。メモリ３６０は、メインプロセッサー３４０に結合される。本発明の望ましい実施形態によると、メモリ３６０の一部は、ランダムアクセスメモリ（ＲＡＭ）であり、メモリ３６０の他の部分は、フラッシュメモリであって、読出し専用メモリ（ＲＯＭ）として作用する。
メインプロセッサー３４０は、メモリ３６０に記憶されている基本オペレーティングシステム（ＯＳ）プログラム３６１を実行して、無線移動局２０１の全体の動作を制御する。このような動作のうちの１つで、メインプロセッサー３４０は、よく知られている原理に従って、無線周波数（ＲＦ）送受信器３１０、受信（ＲＸ）処理回路３２５、及び送信（ＴＸ）処理回路３１５によって順方向チャンネル信号の受信及び逆方向チャンネル信号の送信を制御する。
メインプロセッサー３４０は、それ以外にも、メモリ３６０に常駐する他のプロセス及びプログラムを実行することができる。メインプロセッサー３４０は、実行プロセスの要求に従って、メモリ３６０の内部に、又は、メモリ３６０の外へデータを移動させることができる。一方、メインプロセッサー３４０は、Ｉ／Ｏインターフェース３４５に結合される。Ｉ／Ｏインターフェース３４５は、移動局２０１にラップトップコンピュータ又は携帯コンピュータのような他の装備に接続されることができる機能を提供する。Ｉ／Ｏインターフェース３４５は、これら周辺機器とメインコントローラ３４０との間を接続する通信路である。
また、メインプロセッサー３４０は、ユーザインターフェース３５０及びディスプレーユニット３５５にも結合される。移動局２０１のユーザは、ユーザインターフェース３５０を使用して、データを移動局２０１へ入力する。ディスプレー３５５は、ウェブサイトからテキスト、及び／又は、最小限の制限されたグラフィックを示すことができる、例えば、液晶表示装置を用いる。これとは異なって、他のタイプのディスプレーを使用してよい。
【００３０】
例えば、特定のＢＣＭＣサービスのオーディオ、及び／又は、ビデオ成分が適切に受信されないと、ユーザは、ユーザインターフェース３５０を介してディスプレー３５５上にディスプレーされているメニューをアクセスして、サービス品質特性を含むユーザ入力情報をユーザインターフェース３５０を介して入力する。例えば、上記サービス品質特性は、オーディオの受信劣化（poor）又は、オーディオの受信なし（no reception）、及び／又は、ビデオの受信劣化、又は、ビデオの受信なし、ビデオ及びオーディオの受信劣化、又は、ビデオ及びオーディオの受信なしなどで表示される。また、上記ユーザ入力情報は、上記ユーザが特定のＢＣＭＣサービスを継続して受信するか否かを示す連続指示表示（continuation indication）をさらに含むことができる。メインプロセッサー３４０は、上記ユーザ入力情報を特定の信号メッセージのフォーマットに変換して、上記メッセージを送受信器３０５を介して上記基地局へ送信する。
【００３１】
図４は、本発明の実施形態による基地局１０１の構成を示すブロック図である。基地局１０１は、基地局制御器（ＢＳＣ）４１０及び基地局送受信器（ＢＴＳ）４２０を具備する。基地局制御器及び基地局送受信器は、図１及び図２に関連して既に説明された。ＢＳＣ４１０は、ＢＴＳ４２０を含むセルサイト１２１でリソースを管理する。ＢＳＣ４１０は、ＢＣＭＣＳ制御器４６０を含み、ＢＴＳ４２０は、ＢＴＳ制御器４２５と、チャンネル制御器４３５（これは、代表チャンネルエレメント（representative channel element）３４０を含む。）と、送受信器インターフェース４４５と、ＲＦ送受信器ユニット４５０と、アンテナアレイ４５５と、を含む。
【００３２】
ＢＴＳ制御器４２５は、ＢＴＳ４２０の全体の動作を制御する動作プログラムを実行することができる処理回路及びメモリを構成し、ＢＳＣ４１０との通信も担当する。正常の条件下で、ＢＴＳ制御器４２５は、チャンネル制御器４３５の動作を監督し、チャンネル制御器４３５は、順方向チャンネル及び逆方向チャンネルで双方向通信を行うチャンネルエレメント４４０を含む複数のチャンネルエレメントを有する。“順方向”チャンネルは、基地局から移動局へ信号を下りリンク送信するチャンネルを意味し、“逆方向”チャンネルは、移動局から基地局に信号を上りリンク送信するチャンネルを意味する。送受信器インターフェース４４５は、チャンネル制御器４４０とＲＦ送受信器ユニット４５０との間で双方向チャンネル信号を送信する。
【００３３】
アンテナアレイ４５５は、ＢＳ１０１のカバレッジ領域で、ＲＦ送受信器ユニット４５０から受信された順方向チャンネル信号を移動局へ送信する。また、アンテナアレイ４５５は、ＢＳ１０１のカバレッジ領域で、移動局から受信された逆方向チャンネル信号をＲＦ送受信器ユニット４５０へ送信する。本発明の望ましい実施形態において、アンテナアレイ４５５は、マルチセクターアンテナであって、上記アンテナとしては、例えば、各アンテナセクターがカバレッジ領域の１２０の円弧で送信及び受信を担当する３個のセクターアンテナを挙げることができる。さらに、ＲＦ送受信器ユニット４５０は、アンテナ選択ユニットを含んで、送信及び受信動作の間に、アンテナアレイ４５５の相互に異なるアンテナのうちで特定のアンテナを選択する。
【００３４】
例えば、本発明の実施形態に従って、アンテナアレイ４５５は、移動局からの特定のマルチキャストデータの送信に関連したサービス品質特性を含むメッセージを受信し、上記メッセージをＲＦ送受信器ユニット４５０へ送信する。順に、送受信器は、上記メッセージをＢＴＳ制御器４２５へ送信し、ＢＴＳ制御器４２５は、上記メッセージをＢＳＣ４１０へさらに送信する。ＢＳＣ４１０で、ＢＣＭＣＳ制御器４６０は、上記メッセージを処理して、移動局がマルチキャストデータ及び上記メッセージに含まれた特定のサービス品質特性を継続して受信することを希望するかどうかを決定する。上記メッセージの処理結果、上記移動局がＢＣＭＣサービスの中断を希望すると、ＢＣＭＣ制御器４６０は、料金請求及びモニタリングのために、中止通知と共にＭＳＣ１４０を更新する。
【００３５】
上記サービス品質特性は、特定の移動局で特定のＢＣＭＣサービスの受信に関する品質（quality）に対してリアルタイムフィードバックをＢＣＭＣＳ制御器４６０へ提供する。上記サービス品質特性から、ＢＣＭＣＳ制御器４６０は、ＢＴＳ４２０によってブロードキャストされるマルチキャストデータの送信を最適化する。
例えば、本発明の望ましい一実施形態において、ＢＣＭＣＳ制御器４６０は、ＢＴＳ制御器４２５に要求して、移動局から送信されたメッセージで識別されたＢＣＭＣサービスの特定のＢＣＭＣＳフローの電力を変更（例えば、増大又は減少）させることができる。本発明の他の実施形態において、オーディオ及びビデオ信号が単一のトラヒックチャンネルに多重化されると、ＢＣＭＣＳ制御器４６０は、ＢＴＳ制御器４２５に要求して、サービス品質特性によって識別された問題に基づいて、いずれか一方又は両方を改善させるために、オーディオ及びビデオ信号の多重化を変更させることができる。
【００３６】
本発明のまた他の実施形態において、ＢＣＭＣＳ制御器４６０は、サービス品質特性をＭＳＣ１４０を介してＢＣＭＣサービスのコンテンツプロバイダー（ＣＰ）へ送信することができる。例えば、ＢＣＭＣＳ制御器４６０でオーディオ及び／又はビデオストリームの受信が劣化した品質であると、ＢＣＭＣＳ制御器４６０は、このような問題をコンテンツプロバイダーに報告して、適切な措置（correction）を行うように要求することができる。本発明のもう１つの実施形態において、ＢＣＭＣＳ制御器４６０は、エラー訂正符号（例えば、畳込み（convolutional）／ターボ符号化に対するリードソロモン（Reed-Solomon）符号化）を付加して、マルチキャストデータの送信を正確に受信するように移動局を支援することができる。それ以外の実施形態でも、他の方法で、ＢＣＭＣＳ制御器４６０をプログラムして、問題あるマルチキャストデータの送信を向上させるか、報告するか、又は、最適化することができる。
【００３７】
本発明の一実施形態において、ネットワークの展開中に、上述したフィードバック機構を使用することもできる。例えば、ＢＴＳ４２０のカバレッジ領域に対するフィールドテストを遂行するユーザ技術者にＢＣＭＣＳ制御器４６０へサービス品質メッセージを送信することができる移動局を提供することができる。ネットワークオペレータは、周波数プラン、パワー設定、及びチャンネル符号化で技術者の移動局（すなわち、ユーザ技術者）から送信されたサービス品質情報を使用することができる。本発明の他の実施形態において、上記ネットワークのライブ（live）動作の間に、上述したフィードバック機構を使用することができる。リアルタイムなサービス品質の更新は、ユーザがさらによいサービスを受けるようにし、ネットワークオペレータがユーザにさらによいサービスを提供する。上記サービス品質は、ユーザ技術者によって周期的に更新されるか、又は、消費者ユーザによってＢＣＭＣサービスの使用の間にリアルタイムに更新されることができる。
【００３８】
図５は、本発明の一実施形態に従って、移動局から基地局へ送信される命令メッセージ５００のフィールド構成を示す図である。図５に示す命令メッセージ５００は、移動局で典型的に使用される命令メッセージであって、新規なトラヒックチャンネルを要求する。命令メッセージ５００は、特定のＢＣＭＣサービスに関連したサービス品質特性を含むように変形された。
命令メッセージ５００は、従来技術で知られた他のフィールド以外にも、ＯＲＤＱフィールド５０１と、ＮＵＭ＿ＢＣＭＣＳ＿ＦＬＯＷＳフィールド５０２と、ＢＣＭＣＳ＿ＦＬＯＷ＿ＩＤ＿ＬＥＮ＿ＩＮＤフィールド５０３と、ＢＣＭＣＳ＿ＳＥＳＳＩＯＮ＿ＣＯＮＴＩＮＵＥ＿フィールド５０４と、ＢＣＭＣＳ＿ＦＬＯＷ＿ＩＤ＿１フィールド５０５と、ＢＣＭＣＳ＿ＲＥＡＳＯＮ＿１フィールド５０６と、ＢＣＭＣＳ＿ＦＬＯＷ＿ＩＤ＿ｎフィールド５０７と、及びＢＣＭＣＳ＿ＲＥＡＳＯＮ＿ｎフィールド５０８と、を含む。
【００３９】
ＯＲＤＱフィールド５０１は、８ビットの長さを有し、ＯＲＤＱフィールド５０１に基づいて、メッセージ５００を命令メッセージとして識別する。ＮＵＭ＿ＢＣＭＣＳ＿ＦＬＯＷＳフィールド５０２は、６ビットの長さを有し、有用なＢＣＭＣサービスフローの全体の個数を含む。例えば、各ＢＣＭＣサービスが３個のフローを有し、ネットワーク上で現在提供されている３つのサービスがあると、ＮＵＭ＿ＢＣＭＣＳ＿ＦＬＯＷＳフィールド５０２は、‘６’に設定される。ＢＣＭＣＳ＿ＦＬＯＷ＿ＩＤ＿ＬＥＮ＿ＩＮＤフィールド５０３は、２ビットの長さを有しており、移動局がサービスの受信中に発生した問題を報告する特定のＢＣＭＣサービスフローに対する識別子の長さを示すのに使用される。
また、ＢＣＭＣＳ＿ＳＥＳＳＩＯＮ＿ＣＯＮＴＩＮＵＥ＿フィールド５０４は、１ビットの長さを有し、やはり、ユーザがサービスを継続して受信するか否か、又は、サービスの解除／拒否を希望するか否かをネットワークが識別するようにする。ＢＣＭＣＳ＿ＳＥＳＳＩＯＮ＿ＣＯＮＴＩＮＵＥ＿フィールド５０４が‘１’に設定されると、ユーザは、サービスの中断を希望する。ＢＣＭＣＳ＿ＳＥＳＳＩＯＮ＿ＣＯＮＴＩＮＵＥ＿フィールド５０４が、‘０’に設定されると、ユーザは、サービスの持続を希望する。
ＢＣＭＣＳ＿ＦＬＯＷ＿ＩＤ＿１フィールド５０５は、１６、２４、又は３２ビットの長さを有し、上記長さは、ＢＣＭＣＳ＿ＦＬＯＷ＿ＩＤ＿ＬＥＮ＿ＩＮＤフィールド５０３で示される。ＢＣＭＣＳ＿ＦＬＯＷ＿ＩＤ＿１フィールド５０５は、問題のある特定のＢＣＭＣサービス（コンテンツ）フローを示すための識別子を含む。ＢＣＭＣＳ＿ＲＥＡＳＯＮ＿１フィールド５０６は、４ビットの長さを有し、特定のＢＣＭＣサービスフローに対して、移動局が経験した特定のサービス品質特性（問題）を示す。また、付加的に問題のあるＢＣＭＣサービスフローがあると、命令メッセージ５００は、追加的なＢＣＭＣＳ＿ＦＬＯＷ＿ＩＤ＿ｎフィールド５０７及びＢＣＭＣＳ＿ＲＥＡＳＯＮ＿ｎフィールド５０８を含むことができる。
【００４０】
図６は、本発明の実施形態に従って、図５の命令メッセージで基地局へ送信されるサービス品質特性情報のフィールド構成を示す図であって、これは、ＢＣＭＣＳ＿ＲＥＡＳＯＮ＿ｎフィールド５０８の値を例示的に示す。
ＢＣＭＣＳ＿ＲＥＡＳＯＮ＿ｎフィールド５０８は、４ビットの表示器であって、ユーザは、移動局を操作して、上記ユーザ入力情報を入力する時、特定のＢＣＭＣサービスフローに対して発生した問題に関連して、多様な理由を示すことができる。例えば、“００００”は、ＢＣＭＣサービスフローで、オーディオ受信がないことをユーザが経験したことを示す値であり、“０００１”は、ＢＣＭＣサービスフローで、劣化したオーディオ受信（オーディオ受信の劣化）を経験したことを示す値であり、“００１０”は、ＢＣＭＣサービスフローで、ビデオ受信がないことを経験したことを示す値であり、“００１１”は、ＢＣＭＣサービスフローで、劣化したビデオ受信（ビデオ受信の劣化）を経験したことを示す値であり、“０１００”は、ＢＣＭＣサービスフローで、劣化したオーディオ及びビデオ受信（オーディオ及びビデオ受信の劣化）を経験したことを示す値であり、“０１０１”は、ＢＣＭＣサービスフローで、オーディオ及びビデオ受信がないことを経験したことを示す値である。もう１つの実施形態において、ネットワーク構成に基づいて、ＢＣＭＣＳ＿ＲＥＡＳＯＮ＿ｎフィールド５０８の相互に異なる値は、上記の問題と同一であるか、又は、異なる問題を示すのに使用されることができる。
【００４１】
図７は、本発明の実施形態に従って、ブロードキャスト及びマルチキャストサービスを提供する無線ネットワークにおける移動局から基地局へ、上記命令メッセージがフィードバックされる手順を示すフロー図７００を説明する。初めに、ステップ７０１で、ＭＳ２０１は、ＢＳ１０１から特定のＢＣＭＣサービスを受信する。ステップ７０２で、該当ＢＣＭＣサービスに対して、ユーザがある受信上の問題を経験すると、ステップ７０３で、ユーザは、ＭＳ２０１のユーザインターフェース３５０をアクセスして、ユーザが経験した、例えば、オーディオ及び／又はビデオの受信上の問題を規定したサービス品質特性をユーザ入力情報として入力する。その後、ステップ７０４で、ＭＳ２０１は、ユーザによって識別されたサービス品質特性を含む命令メッセージを、例えば、図５及び図６のようなメッセージフォーマットとして生成する。
そして、ステップ７０５の確認の結果、ユーザがそのユーザインターフェース３５０を介してＢＣＭＣサービスの受信を継続して希望することを表示すると、ＭＳ２０１は、ステップ７０６で、命令メッセージに連続表示を含ませて基地局へ送信する。しかしながら、ユーザがユーザインターフェース３５０を介してＢＣＭＣサービスの受信を継続しないことを表示すると、ＭＳ２０１は、ステップ７０７で、命令メッセージに不連続表示を含ませて基地局へ送信する。この後、ＭＳ２０１は、ステップ７０８で、該当ＢＣＭＣサービスとの接続を中断する。
【００４２】
以上、本発明の詳細について具体的な実施形態に基づき説明してきたが、本発明の範囲を逸脱しない限り、各種の変形が可能なのは明らかである。従って、本発明の範囲は、上記実施形態に限定されるものではなく、特許請求の範囲の記載及び該記載と同等なものにより定められるべきである。
【図面の簡単な説明】
【００４３】
【図１】本発明の実施形態によるブロードキャストマルチキャストサービス（ＢＣＭＣＳ）を効率的な方法にて提供する無線ネットワークの構成を示す図である。
【図２】本発明の実施形態による無線ネットワークでの複数の基地局送受信器から複数の移動局へマルチキャストデータが送信される形態を示す図である。
【図３】本発明の実施形態による移動局の構成を示すブロック図である。
【図４】本発明の実施形態による基地局の構成を示すブロック図である。
【図５】本発明の実施形態による移動局から基地局へ送信される命令メッセージのフィールド構成を示す図である。
【図６】本発明の実施形態に従って、図５の命令メッセージを通じて基地局へ送信されるサービス品質特性に関する情報のフィールド構成を示す図である。
【図７】本発明の実施形態に従って、効率的なブロードキャストマルチキャストサービスを効率的に提供する無線ネットワークの移動局から基地局へ上記命令メッセージがフィードバックされる過程を示すフロー図である。
【符号の説明】
【００４４】
１００  無線ネットワーク
１０１−１０３  基地局
１１１−１１４  移動局
１２１−１２３  セルサイト
【図１】
2007527183.tif 000003
【図２】
2007527183.tif 000004
【図３】
2007527183.tif 000005
【図４】
2007527183.tif 000006
【図５】
2007527183.tif 000007
【図６】
2007527183.tif 000008
【図７】
2007527183.tif 000009
【国際調査報告】
2007527183.tif 000010
2007527183.tif 000011